(57)【要約】【課題】基材と表層材との熱間成型による溶着信頼性を高めた衛生設備室用部材を提供する。【解決手段】樹脂材料からなる基材と、衛生設備室内に露出される表層材とが一体に熱間成型されて得られる衛生設備室用部材であって、前記表層材における前記基材と接する裏面に、前記裏面全体の熱容量よりも小さな熱容量の部分が面方向に散在している。【選択図】図１
2008221520.tif 000002
【特許請求の範囲】
【請求項１】
樹脂材料からなる基材と、衛生設備室内に露出される表層材とが一体に熱間成型されて得られる衛生設備室用部材であって、
前記表層材における前記基材と接する裏面に、前記裏面全体の熱容量よりも小さな熱容量の部分が面方向に散在していることを特徴とする衛生設備室用部材。
【請求項２】
前記表層材の前記裏面に複数の突起が面方向に散在して設けられていることを特徴とする請求項１記載の衛生設備室用部材。
【請求項３】
樹脂材料からなる基材と、衛生設備室内に露出される表層材とが一体に熱間成型されて得られる衛生設備室用部材であって、
前記表層材と前記基材との間に、前記表層材及び前記基材よりも融点の低い接着層が介在されたことを特徴とする衛生設備室用部材。
【請求項４】
前記表層材は、前記衛生設備室内に露出される表面層と、前記表面層と前記基材との間に介在される発泡層とを有することを特徴とする請求項１〜３のいずれか１つに記載の衛生設備室用部材。
【発明の詳細な説明】
【技術分野】
【０００１】
本発明は、例えば浴室などの衛生設備室に使用される衛生設備室用部材に関する。
【背景技術】
【０００２】
例えば浴槽と洗い場とを１つのユニットとして構成したユニットバスなどの浴室の床は、一般に、ＦＲＰ（Fiber Reinforced Plastic）が用いられている。これは、ＦＲＰが、浴室の床に求められる強度、防水性、成形性、意匠性、コストなど、様々な要件をバランスよく満たしているためであり、ユニットバス誕生から現在までの長い間、中心的な素材となっている。
【０００３】
しかし、近年、より付加価値を高めた洗い場床が提案されている。例えば特許文献１には、樹脂材料からなる基材に対して、熱可塑性エラストマー等の軟質材からなる表層材を積層した構造が提案されている。
【０００４】
基材に対して別部材の表層材を積層形成する方法としては、塗装や、成型された基材に対して後から表層材を貼り付けるなど様々な方法が考えられるが、最も生産効率の良い方法として、基材と表層材との同時一体成型（インサート成型）が挙げられる。これは、基材を熱間成型する際に型内に表層材をインサート（挿入）しておくことで、基材と表層材のの成型および溶着・接着を１回の成型で済ませることができる。
【０００５】
このインサート成型では、表層材は成型時に基材の熱や型の熱などによって塑性変形させられ、その状態で基材とともに型押しされることで所望の形状にされると共に、成型後、表層材が剥がれたり部分的に膨れてしまわないように、基材表面と表層材裏面どうしがある程度溶融し合うことで熱溶着されて固定される必要がある。
【０００６】
しかしながら、型の熱量や基材の熱量が、基材と表層材との接触部分の樹脂を溶かし込むのに十分でなかったり、面方向に温度ムラや圧着ムラなどがあると、溶着面の全面が一様に溶着されないことも起こり得る。このような溶着ムラが生じてしまうと、成型後に、表層材の剥がれや部分的な膨れなどを誘発し、信頼性の高い成型品を得られない。
【特許文献１】特開２００２−４３７３号公報
【発明の開示】
【発明が解決しようとする課題】
【０００７】
本発明は、基材と表層材との熱間成型による溶着信頼性を高めた衛生設備室用部材を提供する。
【課題を解決するための手段】
【０００８】
本発明の一態様によれば、樹脂材料からなる基材と、衛生設備室内に露出される表層材とが一体に熱間成型されて得られる衛生設備室用部材であって、前記表層材における前記基材と接する裏面に、前記裏面全体の熱容量よりも小さな熱容量の部分が面方向に散在していることを特徴とする衛生設備室用部材が提供される。
【０００９】
また、本発明の他の一態様によれば、樹脂材料からなる基材と、衛生設備室内に露出される表層材とが一体に熱間成型されて得られる衛生設備室用部材であって、前記表層材と前記基材との間に、前記表層材及び前記基材よりも融点の低い接着層が介在されたことを特徴とする衛生設備室用部材が提供される。
【発明の効果】
【００１０】
本発明によれば、基材と表層材との熱間成型による溶着信頼性を高めた衛生設備室用部材が提供される。
【発明を実施するための最良の形態】
【００１１】
以下、図面を参照し、本発明の実施形態について説明する。本実施形態では、衛生設備室用部材として、例えば、浴室における洗い場床を例に挙げて説明する。
【００１２】
［第１の実施形態］
図１（ａ）は、本発明の第１の実施形態に係る衛生設備室用部材としての浴室の洗い場床の分解模式断面図であり、図１（ｂ）は、同洗い場床における表層材を裏面側から見た斜視図である。
【００１３】
本実施形態に係る洗い場床は、樹脂材料からなる基材２と、浴室内に露出される表層材４とが一体に熱間成型されて得られる。基材２は浅底の器状（パン状）に熱間成型されるが、そのとき、表層材４も型内に挿入され、基材２と表層材４とが一体に熱間成型される。
【００１４】
基材２の材料としては、例えば、ポリプロピレン、ポリエチレン、ＡＢＳ、ポリ塩化ビニール等の熱可塑性樹脂を用いることができる。熱可塑性樹脂は、不要になったら再度溶かして作り直しが可能であるため、リサイクルしやすい利点がある。基材２に用いる樹脂材料は、石油を主原料として新たに生成されたものであってもよいし、廃プラスチック等から再生された再生樹脂であってもよい。再生樹脂を用いた場合は、素材コストの低減が図れると共に、資源の有効利用にもなる。
【００１５】
基材２の材料として、安価な熱可塑性樹脂や再生樹脂を用いた場合には、意匠性や質感に優れないことがあり、成型したそのままの表面は意匠面としては使えないことが多い。よって、人目にさらされたり触れる部分（浴室内に露出される部分）に、所望の色柄や質感を付与された表層材４を設けることが有効である。すなわち、基材２自体の材料に所望の色柄、質感を求めるのが困難な場合でも、別途表層材４を設けることで、商品価値を高めることができる。
【００１６】
表層材４は基材２と共に型押しされて所望の形状に成型される。そのとき、表層材４の裏面は、型の熱や基材２の余熱によって、基材２の表面に溶着される。すなわち、本実施形態に係る洗い場床を得るにあたっては、基材２及び表層材４の各部材の成型、およびそれら両部材間の溶着を１回の成型工程だけで済ませることができ、効率的な生産が行える。
【００１７】
そして、本実施形態では、その表層材４における基材２と接する裏面（浴室内に露出される面の反対側の面）に、その裏面全体の熱容量よりも小さい熱容量の部分として多数の細かい突起４ａが面方向に散在して設けられている。例えばプレス加工により、表層材４の裏面に凹凸を形成し、結果として突起４ａを形成することができる。その他に、表層材４の裏面を、化学的、機械的方法により粗面化することによっても、その裏面に細かい突起（凸部）を形成することができる。
【００１８】
表層材４において、突起４ａ、特にその先端部分が最も熱容量が小さく溶けやすい。すなわち、前述の熱間成型時、熱容量の小さな突起４ａが基材２の表面に接触して基材２からの熱を受けて他の部分より先んじて優先的に溶ける。これら突起４ａは、表層材４の裏面の面方向に偏りなく散在しているため、それら突起４ａが溶けることで、表層材４と基材２とが面方向に均一に溶着される。
【００１９】
すなわち、本実施形態によれば、基材２から表層材４に伝熱される熱量が、表層材４の樹脂を面方向にわたって均一に溶融させるのには不十分であったとしても、また、表層材４と基材２との接触面に、面方向の温度ムラや圧着ムラがある場合でも、他の部分よりも相対的に熱容量が小さい部分である突起４ａが確実に溶けてくれることで、面方向にわたってほぼ一様に基材２と表層材４とが溶着される。これにより、成型後に、表層材４が剥がれたり、部分的に膨れるなどの溶着不具合が生じず、信頼性の高い製品を提供できる。また、浴室床面に膨れがあると、一部が排水勾配と逆になる部分が存在することになり、排水性が悪化するが、本実施形態では、浴室床面の膨れを防止できるため、浴室床面全体が排水口に向けて下り勾配された排水勾配を実現でき、良好な排水性が得られる。
【００２０】
［第２の実施形態］
図２（ａ）は、本発明の第２の実施形態に係る衛生設備室用部材としての浴室の洗い場床の分解模式断面図であり、図２（ｂ）は、同洗い場床における表層材を裏面側から見た斜視図である。
【００２１】
本実施形態に係る洗い場床も、樹脂材料からなる基材２と、表層材５とが一体に熱間成型されて得られる。本実施形態では、表層材５は、浴室内に露出され意匠層として機能する表面層７と、この表面層７と基材２との間に介在される発泡層３とからなる。
【００２２】
例えば表面層７をＴＰＯ（thermoplastic orefinic elastomer）などのやわらかなオレフィン系熱可塑性エラストマーで構成したり軟質仕上げを施し、その下層に例えば発泡スチロール、発泡ウレタン等からなる発泡層３を設けることで、クッション性、断熱性（温かい）、肌触りがよいといった今までにない付加価値を洗い場床に付与することができる。
【００２３】
表面層７及び発泡層３は、基材２と共に型押しされて所望の形状に成型される。そのとき、発泡層３は、型の熱や基材２の余熱によって、基材２の表面に溶着される。表面層７は、成型前に予め発泡層３に接着しておいてもよいし、成型時の熱で発泡層３に溶着されるようにしてもよい。すなわち、本実施形態に係る洗い場床を得るにあたっては、基材２、発泡層３、表面層７の各部材の成型、および各部材間の溶着・接着を１回の成型工程だけで済ませることができ、効率的な生産が行える。
【００２４】
そして、本実施形態では、表層材５における基材２と接する部分である発泡層３の裏面（表面層７が接着された面の反対側の面）には、発泡層３を覆う層は形成されておらず、発泡層３がむき出しになっている。したがって、発泡層３の裏面は、発泡（１次発泡）時に生じた気泡によって、凹凸が形成され、また部分的に中空の部分も存在し、結果として発泡層３の裏面には、その裏面全体の熱容量よりも小さい熱容量の部分が面方向に散在した構成となっている。
【００２５】
そして、本実施形態においても、その熱容量の小さい部分が確実に溶けてくれることで、面方向にわたってほぼ一様に基材２と発泡層３とが溶着され、信頼性の高い製品を提供できる。
【００２６】
なお、表層材において基材２に対して接する部分をポーラス状とした場合でも、その部分が平坦な面ではなく、凹凸を有する面となり、また部分的に中空の部分も存在するので、したがってこの場合にも基材との溶着面には、その面全体の熱容量よりも小さい熱容量の部分が面方向に散在した構成を得ることができ、その熱容量の小さい部分が確実に溶けてくれることで、面方向にわたってほぼ一様に基材と表層材とを溶着することができる。
【００２７】
［第３の実施形態］
図３（ａ）は、本発明の第３の実施形態に係る衛生設備室用部材としての浴室の洗い場床の分解模式断面図であり、図３（ｂ）は、同洗い場床における表層材を裏面側から見た斜視図である。
【００２８】
本実施形態に係る洗い場床も、樹脂材料からなる基材２と、表層材１５とが一体に熱間成型されて得られる。本実施形態では、表層材１５は、浴室内に露出され意匠層として機能する表面層７からなる。
【００２９】
そして、本実施形態では、表面層７と基材２との間に、それら表面層７及び基材２よりも融点が低い接着層６を介在させて、前述した実施形態と同様の熱間成型を行う。接着層６としては、例えば熱可塑性ポリマーをベースにしたものを用いることができる。
【００３０】
基材２及び表面層７よりも融点の低い接着層６を基材２と表面層７との間に介在させることで、熱間成型時、基材２や表面層７を面方向に一様に溶かすのには不十分な熱量であっても、それらよりも融点の低い接着層６が確実に溶けてくれることで、この溶けた接着層６を介して、基材２と表面層７とを面方向にわたってほぼ一様に接着させることができ、信頼性の高い製品を提供できる。
【００３１】
［第４の実施形態］
図４（ａ）は、本発明の第４の実施形態に係る衛生設備室用部材としての浴室の洗い場床の分解模式断面図であり、図４（ｂ）は、同洗い場床における表層材を裏面側から見た斜視図である。
【００３２】
本実施形態に係る洗い場床も、樹脂材料からなる基材２と、表層材２５とが一体に熱間成型されて得られる。本実施形態では、表層材２５は、前述した第２の実施形態と同様、浴室内に露出され意匠層として機能する表面層７と、この表面層７と基材２との間に介在される発泡層３とからなる。
【００３３】
そして、本実施形態では、発泡層３と基材２との間に、発泡層３及び基材２よりも融点が低い接着層６を介在させて、前述した実施形態と同様の熱間成型を行う。本実施形態においても、上記第３の実施形態と同様、熱間成型時、接着層６が確実に溶けてくれることで、基材２と表層材２５（発泡層３）とを、面方向にわたってほぼ一様に接着させることができ、信頼性の高い製品を提供できる。
【００３４】
以上、具体例を参照しつつ本発明の実施形態について説明した。しかし、本発明は、それらに限定されるものではなく、本発明の技術的思想に基づいて種々の変形が可能である。
【００３５】
基材２の材料としては、熱可塑性樹脂に限らず、熱間成型によって成型可能な樹脂材料であればよく、例えばＦＲＰ（Fiber Reinforced Plastic）等の熱硬化性樹脂を用いてもよい。
【００３６】
本発明の衛生設備室用部材は、洗い場床に限らず、浴室ユニットを構成する他の部材、例えば壁パネル、天井パネル、バスエプロン、浴槽等であってもよい。また、衛生設備室も浴室に限らず、シャワー室、トイレ等であってもよく、したがって、本発明は、シャワー室、トイレ等で使われる部材にも適用可能である。
【図面の簡単な説明】
【００３７】
【図１】（ａ）は、本発明の第１の実施形態に係る衛生設備室用部材の分解模式断面図、（ｂ）は、同衛生設備室用部材における表層材を裏面側から見た斜視図。
【図２】（ａ）は、本発明の第２の実施形態に係る衛生設備室用部材の分解模式断面図、（ｂ）は、同衛生設備室用部材における表層材を裏面側から見た斜視図。
【図３】（ａ）は、本発明の第３の実施形態に係る衛生設備室用部材の分解模式断面図、（ｂ）は、同衛生設備室用部材における表層材を裏面側から見た斜視図。
【図４】（ａ）は、本発明の第４の実施形態に係る衛生設備室用部材の分解模式断面図、（ｂ）は、同衛生設備室用部材における表層材を裏面側から見た斜視図。
【符号の説明】
【００３８】
２…基材、３…発泡層、４，５，１５，２５…表層材、４ａ…突起、６…接着層、７…表面層
【図１】
2008221520.tif 000003
【図２】
2008221520.tif 000004
【図３】
2008221520.tif 000005
【図４】
2008221520.tif 000006